(57)【要約】【課題】ＤＥＣＴ方式で接続される親子関係の機器を１台の装置で複数台登録及び接続の設定及び登録接続後の状態確認を容易に行う。【解決手段】電話回線に接続された充電台付親機に無線接続され、ＦＡＸ送受信を行うモニタ付子機を持ち運び可能に設ける。子機のモニタ画面に、少なくともＦＡＸ画像を表示する第１の領域と、親機の登録接続状態等を示す各アイコンを表示する第２の領域とを設ける。登録接続対象の機器の側に子機を持って行き設定操作を行うことができ、登録や接続設定のためのメニューや選択ボタン等を第１の領域に表示し、それらが第２の領域に表示されるアイコンと干渉しないため、登録や接続操作に応じて第２の領域のアイコンの表示が変化することを、画面を切り替えることなく即座に確認することができる。【選択図】図３
2014119942.tif 000002
【特許請求の範囲】
【請求項１】
電話回線に接続される親機と、前記親機と無線接続されかつ前記親機を介してＦＡＸの送受信を行う子機とを有し、
前記子機は、持ち運び可能に形成されるとともに、前記無線接続による接続を行う無線接続部と、前記送受信画像を表示するためのモニタと、前記無線接続部を介して接続される前記親機及び無線接続可能な外部機器をそれぞれ前記モニタの画面上の操作で登録しかつ接続の設定を可能にする登録接続設定部とを有し、
前記画面は、少なくとも前記ＦＡＸの画像を表示する第１の領域と、前記親機及び登録可能な前記外部機器を示すアイコンを表示するべく前記第１の領域と重ならない第２の領域とを有することを特徴とする無線接続制御装置。
【請求項２】
前記親機及び登録可能な前記外部機器を示すアイコンは、登録後には、登録前の状態とは異なる形態で接続状態を示すアイコンに変わることを特徴とする請求項１に記載の無線接続制御装置。
【請求項３】
前記親機及び登録可能な前記外部機器を示すアイコンを前記第２の領域にドラッグすることにより、前記第２の領域に、前記親機及び前記接続の設定がされた前記外部機器の状態が表示されることを特徴とする請求項１または請求項２に記載の無線接続制御装置。
【発明の詳細な説明】
【技術分野】
【０００１】
本発明は、親機に無線接続される子機を用いた無線接続制御装置に関するものである。
【背景技術】
【０００２】
従来、一般家庭におけるホームネットワークとして、各種デジタル機器をＬＡＮ接続するようにしたものがあり、例えば、無線ＬＡＮ規格で接続するための機器接続装置をデジタルテレビジョン受信機（ＤＴＶ）に内蔵し、接続可能なデジタル機器をＤＴＶの画面に表示し、接続のための操作をＧＵＩにより行うことができるようにしたものがある（例えば特許文献１参照）。
【先行技術文献】
【特許文献】
【０００３】
【特許文献１】特開２００６−３０９５８３号公報
【発明の概要】
【発明が解決しようとする課題】
【０００４】
上記特許文献１のものでは、１台のデジタル機器に他の複数のデジタル機器を接続する場合であり、他の複数のデジタル機器に対してＩＰアドレスを割り当てて各デジタル機器を接続可能にしている。
【０００５】
一般家庭で使用されるデジタル機器には、コードレス電話やドアホンや窓センサ等があり、それぞれの親機と子機との間をＤＥＣＴ（ＥＴＳＩ商標）方式で無線接続するようにしたものがある。その場合には各機種毎に親子関係を構築しかつ各機種別の登録及び接続の設定を行っている。
【０００６】
一方、コードレス電話を用いたＦＡＸ機として、親機を電話回線と接続し、ＦＡＸの画像を表示可能な大型画面のモニタを備えかつ持ち運び可能な可搬型子機を設け、両者を上記と同様にＤＥＣＴ方式で接続するようにしたものがある。これにより、屋内の電話回線が配線されていない所でもＦＡＸを送受信することが可能であり、また印刷することなくＦＡＸの内容を確認することができるという利点を有するものである。
【０００７】
このような子機の場合には、そのモニタの画面に多くの情報を表示させることができるため、無線接続可能な上記したようなデジタル機器と接続する場合の登録及び接続の設定を１台で行うことができる点に、本発明者は着目した。
【０００８】
本発明は、このような本発明者の知見に基づき案出されたものであり、その主な目的は、無線接続される親子関係の機器を１台の装置で複数台の登録及び接続の設定及び登録接続後の状態確認を容易に行うことができる無線接続制御装置を提供することにある。
【課題を解決するための手段】
【０００９】
本発明の無線接続制御装置は、電話回線に接続される親機と、前記親機と無線接続されかつ前記親機を介してＦＡＸの送受信を行う子機とを有し、前記子機は、持ち運び可能に形成されるとともに、前記無線接続による接続を行う無線接続部と、前記送受信画像を表示するためのモニタと、前記無線接続部を介して接続される前記親機及び無線接続可能な外部機器をそれぞれ前記モニタの画面上の操作で登録しかつ接続の設定を可能にする登録接続設定部とを有し、前記画面は、少なくとも前記ＦＡＸの画像を表示する第１の領域と、前記親機及び登録可能な前記外部機器を示すアイコンを表示するべく前記第１の領域と重ならない第２の領域とを有する構成とする。
【発明の効果】
【００１０】
本発明によれば、ＦＡＸの送受信をモニタで確認可能な子機を持ち運ぶことができるとともに、そのモニタの画面上で親機及び無線接続可能な外部機器の登録や接続設定を操作かつ確認することができるため、登録かつ接続したい機器の近くで各設定を行うことにより、電気的な接続のみならず、機械的な動作も機器の側で確認することができる。また、登録や接続設定のためのメニューや選択ボタン等を第１の領域に表示し、それらが第２の領域に表示されるアイコンと干渉しないため、登録や接続操作に応じて第２の領域のアイコンの表示が変化することを、画面を切り替えることなく即座に確認することができる。
【図面の簡単な説明】
【００１１】
【図１】本発明による無線接続制御装置の接続構成例を示す図
【図２】子機の制御ユニットの構成を示す概略ブロック図
【図３】電源投入によりモニタ画面に表示されるホーム画面を示す図
【図４】モニタ画面でのタップ操作に対する制御要領を示す概略フロー図
【図５】第１の領域に対して操作が行われた場合のフロー図
【図６】（ａ）は第２の領域に対して操作が行われた場合のフロー図であり、（ｂ）は常駐エリアに対して操作が行われた場合のフロー図
【図７】（ａ）は通知エリアを拡大して示す図であり、（ｂ）はお知らせアイコンの通知内容の表示例を示す図
【図８】（ａ）はＦＡＸの一覧表示を示す図であり、図８（ｂ）は任意の欄を操作して表示されるＦＡＸ画像を示す図
【図９】設定画面の一例を示す図であり、（ａ）はドアホン親機で操作可能な複数のアイコンが表示された図、（ｂ）は「設定／情報」アイコンを選択した場合の表示を示す図
【図１０】窓センサの増設設定画面を示す図
【図１１】（ａ）はシステムエリアに表示される通常状態の一例を示す要部拡大図であり、（ｂ）は通信強度が弱い場合の例を示す図
【図１２】充電台付親機や外部機器との接続状態を文字で表示する例を示す図
【発明を実施するための形態】
【００１２】
前記課題を解決するためになされた第１の発明は、電話回線に接続される親機と、前記親機と無線接続されかつ前記親機を介してＦＡＸの送受信を行う子機とを有し、前記子機は、持ち運び可能に形成されるとともに、前記無線接続による接続を行う無線接続部と、前記送受信画像を表示するためのモニタと、前記無線接続部を介して接続される前記親機及び無線接続可能な外部機器をそれぞれ前記モニタの画面上の操作で登録しかつ接続の設定を可能にする登録接続設定部とを有し、前記画面は、少なくとも前記ＦＡＸの画像を表示する第１の領域と、前記親機及び登録可能な前記外部機器を示すアイコンを表示するべく前記第１の領域と重ならない第２の領域とを有する構成とする。
【００１３】
これによると、ＦＡＸの送受信をモニタで確認可能な子機を持ち運ぶことができるとともに、そのモニタの画面上で親機及び無線接続可能な外部機器の登録や接続設定を操作かつ確認することができるため、登録かつ接続したい機器の近くで各設定を行うことにより、電気的な接続のみならず、機械的な動作も機器の側で確認することができる。また、登録や接続設定のためのメニューや選択ボタン等を第１の領域に表示し、それらが第２の領域に表示されるアイコンと干渉しないため、登録や接続操作に応じて第２の領域のアイコンの表示が変化することを、画面を切り替えることなく即座に確認することができる。
【００１４】
また、第２の発明は、前記第１の発明において、前記親機及び登録可能な前記外部機器を示すアイコンは、登録後には、登録前の状態とは異なる形態で接続状態を示すアイコンに変わる構成とする。
【００１５】
これによると、第１の領域に登録や接続設定のためのメニューや選択ボタン等の操作に合わせて第２の領域に表示されているアイコンが変化することにより、登録する場合等にその登録が完了されたことを直ぐに確認することができる。
【００１６】
また、第３の発明は、前記第１または第２の発明において、前記親機及び登録可能な前記外部機器を示すアイコンを前記第２の領域にドラッグすることにより、前記第２の領域に、前記親機及び前記接続の設定がされた前記外部機器の状態が表示される構成とする。
【００１７】
これによると、第２の領域に表示されているアイコンの形態では概略の状態しか分からない場合でも、その詳細をドラッグという簡単な操作で見ることができる。
【００１８】
以下、本発明の実施の形態を、図面を参照しながら説明する。
【００１９】
図１は、本発明による無線接続制御装置の接続構成例を示す図である。図において、電話回線ＴＥＬに接続される充電台付親機１と、親機１に例えばＤＥＣＴ方式で無線接続される無線接続制御装置としてのモニタ付子機２とが設けられている。なお、親機１には、携帯型電話機３が同じくＤＥＣＴ方式で無線接続されるようになっている。携帯型電話機３は、親機１の充電台１ａに載置状態で充電されるようになっている。
【００２０】
モニタ付子機２は、親機１を介して送受信可能なＦＡＸ機能を有し、そのＦＡＸの画像を表示しかつ視認容易な大型のモニタ画面２ａを備えるとともに、持ち運び可能な重さと大きさとに形成されている。これにより、親機１が電話回線接続コネクタの設置場所近傍に配置されても、モニタ付子機２を室内の任意の位置に移動してもＦＡＸの送受信が可能となり、利便性が良い。なお、モニタ画面２ａはタッチパネルで構成されている。また、特に断らない限り、充電台付親機１とモニタ付子機２とは無線接続されているものとする。
【００２１】
図２に併せて示されるように、モニタ付子機２には、親機１と無線接続可能にする無線接続部１１及びその送受信用アンテナ１１ａが設けられている。モニタ付子機２は、その無線接続部１１を介して、親機１以外の外部機器と無線接続可能である。
【００２２】
図１では、外部機器としてのドアホン親機４と無線接続される例が示されている。ドアホン親機４は、ドアＤＲに取り付けられるドアホン４ａと無線接続される。この構成において、ドアホン親機４が親機で、ドアホン４ａが子機となる。ドアホン親機４とドアホン４ａとの組合せのみで使用する場合には、ドアホン親機４で、その画面４ｂに映し出されるメニューに対してドアホン４ａとの接続用の登録及び接続設定等の操作を行う。なお、ドアホン４ａはカメラ付きのものとして以下に説明する。
【００２３】
また、窓ＷＤの開閉を検出するための窓センサ５が無線接続される仕様の場合には、ドアホン親機４を親機として窓センサ５を子機として接続可能である。この場合にも、ドアホン親機４で、その登録及び接続設定等の操作を行うことができる。
【００２４】
また、ドアホン親機４は、ＬＡＮ接続可能であり、図示例ではルータ６に接続されている。ルータ６は、回線終端装置（モデム）７と接続され、回線終端装置７を介してインターネットＩＮＴに接続される。例えば外出先で携帯電話８をインターネットに接続することにより、ルータ６に接続されている機器にアクセス可能である。回線終端装置７には公知の無線接続回路が設けられており、回線終端装置７とプリンタ９とが無線ＬＡＮ接続される。また、ルータ６には、監視カメラ１０がＬＡＮ接続されている。
【００２５】
なお、これらは一例であり、接続構成は図示に限定されず、無線接続される他の機器も本発明の接続対象である。また、ルータ６にＬＡＮ接続される機器も図示例に限られるものではない。
【００２６】
図２は、モニタ付子機２に設けられた制御ユニット２ｂの構成を示す概略ブロック図である。図に示されるように、上記した無線接続部１１にはＦＡＸ制御部１２が接続されている。ＦＡＸ制御部１２は、無線接続部１１を介して送受信されるＦＡＸ信号を処理し、ビデオディスプレイ制御部１３を介してモニタ画面２ａにＦＡＸの画像を表示させる。
【００２７】
ＦＡＸ制御部１２及びビデオディスプレイ制御部１３は全体の制御を行う主制御部１４と接続されている。主制御部１４には、無線接続部１１と接続された登録接続設定部１５が接続されている。登録接続設定部１５には、無線接続可能な外部機器の登録及び接続情報が予め記憶されている。また、ＬＡＮを介してのインターネット接続によりアップグレードや新機種の登録及び接続情報を入手し、新たに登録接続設定部１５に書き込むことができるようになっている。
【００２８】
主制御部１４にはインターフェース回路１６が接続され、インターフェース回路１６には種々のものが接続され、それぞれ主制御部１４により制御される。図示例では、上記モニタ画面２ａのタッチパネルとの信号の授受を処理するタッチパネルコントローラ１７と、内部メモリ１８と、ＵＳＢポート１９と、カード型メモリ用のリーダライタ２０と、内蔵カメラ２１で撮影された画像を処理する画像処理部２２と、内蔵スピーカ２３から出力する音やマイク２４から入力される声を処理する音声処理部としてのオーディオ回路２５と、現在位置を取得するためのＧＰＳ装置２６とがそれぞれ接続されている。これらは一例であり、他の接続可能な回路や装置を排除するものではない。なお、図示省略のＡＣアダプタや内蔵バッテリからの電力を各回路等に供給する電源回路２７が設けられている。
【００２９】
また、機械的に操作可能な主なスイッチの例として、電源キーＰＷと、戻るキーＳＷ１・ホームキーＳＷ２・メニューキーＳＷ３とが、モニタ付子機２のケースの適所に設けられている。電源キーＰＷの操作により電源の入り／切りが行われる。戻るキーＳＷ１はモニタ画面２ａの切り替えにおいて１つ前の画面に戻すためのものであり、ホームキーＳＷ２は複数画面用意されているホーム画面をオリジナル（初期）ホーム画面に戻すためのものであり、メニューキーＳＷ３は操作可能なメニューを表示させるためのものである。
【００３０】
このように構成されたモニタ付子機２による操作要領について以下に説明する。
【００３１】
図３は、電源投入によりモニタ画面２ａに表示されるホーム画面を示す図である。モニタ画面２ａの略全体を締める第１の領域３１には任意に設定されている各アプリケーションを起動するための各アイコン３２ａ〜３２ｄが配置されている。なお、第１の領域３１の画面は、その下側の左右に配置されている矢印形アイコン３２Ｌ・３２Ｒを操作（例えばタッチ）することにより、別のホーム画面に切り替わるようになっている。
【００３２】
モニタ画面２ａにおける第１の領域３１の右側には、常駐エリア３３が設けられ、常駐エリア３３には、電話・ＦＡＸ・電話帳・登録アプリケーション一覧・設定の各アイコン３３ａ〜３３ｆが縦並びに配置されている。モニタ画面２ａにおける上記第１の領域３１と右側の縦並びのアイコン３３ａ〜３３ｆの上側部分には、モニタ画面２ａの上縁に沿って延在する第２の領域としてのステータスバー３４が設けられている。
【００３３】
ステータスバー３４の左側には通知エリア３４ａが設けられ、右側にはシステムエリア３４ｂが設けられている。通知エリア３４ａには接続機器の状態を表示するための各アイコン３５ａ〜３５ｃが表示されている。
【００３４】
図４はモニタ画面２ａでのタップ操作に対する制御要領を示す概略フロー図である。なお、以下に示す各フロー図は、要部の処理に対する概略の流れを示すものであり、全ての処理を示すものではない。また、それらの制御は、上記制御ユニット２ｂの各制御ブロックの組合せ、またはプログラムにより実行可能である。また、本装置では、タッチパネルに対する公知の種々の操作や各種キー操作にも対応して動作するものであり、特に断らない限り、画面に対する操作を主としてタップ（軽く押して離す操作）で行うものとして説明する。
【００３５】
電源キーＰＷの投入により、図３に示されるホーム画面が表示される（ステップＳＴ１）と、ステップＳＴ２では、ホーム画面の各エリア（Ａ＝３１、Ａ＝３４、Ａ＝３３）のいずれかが選択された場合には、それぞれに対応したフロー（ａ〜ｃ）に進む。
【００３６】
図５は、第１の領域３１に対して操作が行われた場合のフローである。ステップＳＴ３では、左右の矢印形アイコン３２Ｌ・３２Ｒのいずれかが選択されたらステップＳＴ４に進む。ステップＳＴ４では、矢印形アイコン３２Ｌ・３２Ｒに対応するホーム画面に切り替える。ステップＳＴ３で矢印形アイコン３２Ｌ・３２Ｒが操作されていないと判定した場合にはステップＳＴ５に進む。ステップＳＴ５では、第１の領域３１の各アイコン３２ａ〜３２ｄのいずれかが選択されたら、それぞれの処理を行うフロー（ｄ〜ｇ）に進む。
【００３７】
ストアアイコン３２ａが選択された場合のフローｄ（フロー図省略）では、アプリケーションの追加や更新等を行う処理が実行される。アプリケーションとしては、アプリアイコン３３ｄを選択することにより、登録（インストール）されているアプリケーションが第１の領域３１に各アイコンで表示される。なお、以下の操作において画面が切り替わる場合には、全て第１の領域３１に表示され、第２の領域３４は常時表示されているものであり、以下の説明において同じである。
【００３８】
アプリケーションの例としては、ＰＤＦリーダ、メールソフト、ミュージックプレイヤー、動画プレイヤー、インターネットラジオ、カメラ（内蔵カメラ２１）操作、ブラウザソフト等があり、パーソナルコンピュータで実行可能なアプリケーションの一般的なものが対象となり得る。インストールの容量が大きい場合には、リーダライタ２０に装着されているメモリカードで対応可能である。
【００３９】
ドアホンアイコン３２ｂが選択された場合のフローｅ（フロー図省略）では、後記する設定アイコン３３ｅの下層で登録・接続設定が行われたドアホン親機４の操作をモニタ付子機２側から行う処理が実行される。手書きアイコン３２ｃが選択された場合のフローｆ（フロー図省略）では、例えばＦＡＸ送信する内容を手書きで記入する処理が実行される。この場合には、タッチペン（図示省略）により画面の所定エリア内に文字や絵を書き込むことができ、その画像や紙に書いた原稿を無線ＬＡＮ接続したプリンタ９でスキャンしてＦＡＸ送信する場合に、スキャンされた原稿等はスキャンデータとして保存される。取説アイコン３２ｄが選択された場合のフローｇ（フロー図省略）では、予めモニタ付子機２のメモリ１８に例えばｐｄｆファイルとして保存されている取扱説明書を表示する処理が行われる。
【００４０】
図６（ａ）は、第２の領域３４に対して操作が行われた場合のフロー図である。ステップＳＴ６では、第２の領域３４の通知エリア３４ａの各アイコン３５ａ〜３５ｃが第１の領域にドラッグされたら、それぞれの処理を行うフロー（ｈ〜ｊ）に進む。親機アイコン３５ａがドラッグされた場合のフローｈ（フロー図省略）、お知らせアイコン３５ｂがドラッグされた場合のフローｉ（フロー図省略）、ＵＳＢ接続アイコン３５ｃがドラッグされた場合のフローｊ（フロー図省略）のそれぞれの処理により、各アイコン３５ａ〜３５ｃに対応する内容が第１の領域３１に表示される。
【００４１】
図６（ｂ）は、常駐エリア３３に対して操作が行われた場合のフロー図である。ステップＳＴ３では、常駐エリア３３の各項目（電話・ファクス・電話帳・アプリ・設定）が選択されたら、それぞれの処理を行うフロー（ｋ〜ｐ）に進む。電話アイコン３３ａが選択された場合のフローｋ（フロー図省略）では、充電器付親機１を介して電話をかけたり受けたりする処理が実行される。第１の領域３１に例えば「外線」の選択アイコンが表示され、その「外線」が選択されると電話番号入力画面（テンキー等）が表示される。電話番号を入力することにより、携帯電話のように電話をかけることができる。また、電話がかかってきた場合には、スピーカ２３から受信音が発せられ、上記「外線」を選択することにより、マイク２４とスピーカ２３とにより通常の電話と同様に話すことができる。
【００４２】
図７（ａ）は、通知エリア３４ａを拡大して示す図である。通知エリア３４ａには、図の左側から、お知らせアイコン３５ｂ・ＵＳＢ接続アイコン３５ｃ・親機アイコン３５ａが表示されている。お知らせアイコン３５ｂは、親機アイコン３５ａの対象となる本図示例では電話・ＦＡＸ・ドアホンのいずれかからの通知がある場合に表示される。通知内容を確認する場合には、例えばお知らせアイコン３５ｂを第１の領域３１にドラッグする（図の二点鎖線）。これは、上記フローｂにおいてフローｉに進んだ場合である。
【００４３】
親機アイコン３５ａは、モニタ付子機２から操作可能なものとして、例えば親機１を介して行われる機能である電話及びＦＡＸと、初期状態で接続対象となるドアホン親機４とを対象として良い。それらのいずれかが登録かつ接続可の状態になっていれば、図７（ａ）の実線で示されているアイコンの形態で表示する。一方、登録されていない場合または登録されているが接続不可の場合には、図に二点鎖線で示されるように赤いバツ印３６を付けたものを表示する。これにより、通知エリア３４ａに表示される親機アイコン３５ａは、登録前の状態と登録後の状態とを異なる形態で接続状態を示すアイコンとして表示され、一目でモニタ付子機２とその親機１との接続状態を視認することができる。
【００４４】
図７（ｂ）は、お知らせアイコン３５ｂの通知内容の表示例を示す図である。お知らせアイコン３５ｂを通知エリア３４ａから第１の領域３１にドラッグすることにより、フローｉ（図示省略）が実行され、第１の領域３１に表示ウィンドウ３７が現れる。表示ウィンドウ３７には、接続されている機器の実行中の状態を表示する実行表示エリア３７ａと、通知内容を表示する通知エリア３７ｂとが設けられている。実行表示エリア３７ａには電話・ＦＡＸ・ドアホンの各実行状態として、例えば各機器番号やそれぞれの現在モード（電話の自動受信状態やドアホンの外出時モード）がアイコン等を用いて表示され、通知エリア３７ｂには通知内容として、例えば留守電有りやＦＡＸ受信有り等が文字表示される。
【００４５】
なお、ホーム画面に戻る場合には、ホームキーＳＷ２を押すことにより図３のホーム画面にジャンプして戻ることができる。この操作は全ての画面表示状態において共通である。
【００４６】
ファクスアイコン３３ｂが選択された場合のフローｌ（フロー図省略）では、ＦＡＸ操作に関連する処理が行われる。先ず、ＦＡＸ操作に関連する種々のアイコンが表示される。例えば、「手書きファクスを送る」アイコンが選択された場合には、上記手書きアイコン３２ｃの操作で作成された手書きメモの一覧が表示され、一覧から送信したいデータを選択することができる。そして、メニューキーＳＷ３を押すことにより、第１の領域３１の下部に「ファクス送信」アイコンを含むＦＡＸに関連する複数のコマンドが配置されたコマンドバーが表示され、その「ファクス送信」を選択することにより、一覧から選択されたデータが送信される。
【００４７】
ＦＡＸ送信が行われた場合には、通知エリア３４ａにお知らせアイコン３５ｂが表示される。そのお知らせアイコン３５ｂを上記したようにドラッグすると、第１の領域３１に、例えば「ファクスを１枚送信しました」という内容の文字がお知らせの内容として表示される。
【００４８】
また、ＦＡＸを受信した時に、お知らせアイコン３５ｂが表示され、上記ドラッグ操作によりＦＡＸ受信を確認することができる。
【００４９】
図８（ａ）はＦＡＸの一覧表示を示す図であり、図８（ｂ）は任意の欄を操作して表示されるＦＡＸ画像を示す図である。これらのＦＡＸ表示画面ではステータスバー３４はそのまま表示される。ＦＡＸの一覧表示の画面が表示されるのは、上記フローｃにおいてフローｌに進んだ場合である。フローｌ（フロー図省略）では先ず受信と送信との選択画面が表示され、図８（ａ）は受信を選択した場合である。
【００５０】
具体的な操作では、図３の画面でアイコン３３ｂを選択することにより表示される「受信ファクス」アイコンを選択する。それにより、第１の領域３１が、図８（ａ）の一覧表示画面３８に切り替わる。この画面では、親機１のメモリに保存されているＦＡＸの一覧が表示される。なお、この一覧表示画面では親機１の他にリーダライタ２０に例えばメモリカード（図示省略）が装着されかつＦＡＸデータ保存用に設定されていた場合には、画面上のタブ「ＳＤ」を選択することによりメモリカードに保存されている内容の一覧が同様に表示される。
【００５１】
一覧表示画面３８の任意の１ファイルに相当する欄を選択することにより、図８（ｂ）に示されるように、第１の領域３１に、ＦＡＸ受信日時等を表示する件名表示エリア３８ａと、画像を表示するＦＡＸ表示エリア３８ｂとが表示される。件名表示エリア３８ａには、日付・時刻・通し番号・件数等が表示される。ＦＡＸ画像表示エリア３８ｂには、図示例では受信したＦＡＸの画像が表示される。これにより、簡単な操作で任意のＦＡＸの受信日時や内容となる画像を視認することができる。
【００５２】
図３の画面で電話帳アイコン３３ｃが選択された場合のフローｍ（フロー図省略）では、電話帳に名前・電話番号・メールアドレス等を登録することができる処理が行われる。先ず、電話帳の一覧と、その欄外に「追加」アイコンが表示され、「追加」アイコンを選択することにより、新たに名前・電話番号・メールアドレス等をカード形式で記入する画面が表示される。必要な項目を入力した後に、表示されている「完了」アイコンを選択することにより、電話帳の一覧に相手先が新規追加される。また、電話帳の一覧から任意の相手先を選択することにより、「発信」・「電話帳詳細」等のアイコンが表示され、「発信」アイコンを選択することにより、電話をかけたり、ＦＡＸ送信したり、メール送信することができる。
【００５３】
図３の画面でアプリアイコン３３ｄが選択された場合のフローｎ（フロー図省略）では、上記したストアアイコン３２ａで説明した対象となるアプリケーションと同様のアプリケーションを選択して実行するための処理が行われる。第１の領域３１に、登録されているアプリケーションに対応したアイコン表示され、実行したいアイコンを選択することにより、そのアプリケーションが実行される。アプリケーションの例としては、ＰＤＦリーダ、メールソフト、ミュージックプレイヤ、動画プレイヤ、インターネットラジオ、カメラ（内蔵カメラ２１）操作、ブラウザソフト等があり、パーソナルコンピュータで実行可能なアプリケーションの一般的なものが対象となり得る。
【００５４】
図３の画面で設定アイコン３３ｅが選択された場合のフローｏ（フロー図省略）では、モニタ付子機２で操作することができる親機１や外部機器の設定のための処理が行われる。設定アイコン３３ｅが選択された場合には、第１の領域３１に「電話とファクス」・「無線とネットワーク」等の設定対象となる各アイコン（図示省略）が表示される。
【００５５】
「電話とファクス」アイコンを選択することにより、「電話の設定」・「ファクスの設定」・「端末の設定」・「接続機器の設定」の各アイコン（図示省略）が表示される。「電話の設定」を選択することにより電話帳等の電話に関する設定を行う画面が表示され、「ファクスの設定」を選択することによりＦＡＸの名前（印刷用／表示用）やＦＡＸの電話番号等のＦＡＸに関する設定を行う画面が表示される。
【００５６】
図９は設定画面の一例を示す図である。上記した「端末の設定」を選択し、「子機増設」を選択し、「ドアホン」を選択することにより、第１の領域３１に図９（ａ）に示されるようなドアホン親機４で操作可能な画面が表示される。これはドアホン親機４の画面４ｂに表示される内容をモニタ付子機２に転送して表示させている。これにより、ドアホン親機４で操作するのと同じ感覚でモニタ付子機２で操作することができる。
【００５７】
図９（ａ）では、「設定／情報」アイコン４１を含むドアホン親機４で操作可能な複数のアイコンが表示されており、「設定／情報」アイコン４１を選択すると、図９（ｂ）に示されるように「設定を変更」アイコン４２と「情報を見る」アイコンとが表示される画面に切り替わる。その「設定を変更」アイコン４２を選択することにより、図９（ｃ）に示されるように「登録／減設」アイコン４３を含む設定に関連した複数のアイコンが表示される画面に切り替わる。その中の「登録／減設」アイコン４３を選択すると、図９（ｄ）のように「登録」アイコン４４と「減設」アイコンとが表示される画面に切り替わり、続けて「登録」アイコン４４を選択すると、図９（ｅ）のように「子機」アイコン４５を含む登録に関連した複数のアイコンが表示される画面に切り替わる。
【００５８】
図９（ｅ）の画面で「子機」アイコン４５を選択することにより、ドアホン親機４に登録可能なドアホン４ａの名前が表示され、そのドアホン４ａの名前を選択することによりドアホン４ａの番号（登録可能な台数までの通し番号）が表示される。増設（新規登録を含む）するドアホン４ａの番号を選択することにより、「登録」・「戻る」の各アイコンとが表示され、「登録」アイコンを選択し、登録が完了すると「ドアホン登録完了」と表示される。「登録失敗」と表示された場合には最初からやり直す。
【００５９】
これにより、モニタ付子機２でドアホン親機４と同等の応答が可能になる。この場合、ドアホン親機４の画面４ｂに表示される画像は第１の領域３１に映し出される。例えば、ドアホン４ａの呼出ボタンが押されると、モニタ付子機２のスピーカ２１から呼出音が発せられ、ドアホン４ａのカメラで撮影された画像がモニタ画面２ａに映し出される。同時に映し出される「通話」アイコンを選択することにより、相手と話すことができる。この処理は、無線接続部１１を介してドアホン親機４と接続し、公知の遠隔操作の処理を行うことにより可能である。
【００６０】
また、窓センサ５による窓ＷＤの開閉をモニタ付子機２で確認することができる。その窓センサ５の登録・接続設定においては、上記した「電話とファクス」アイコンを選択して表示される「接続機器の設定」アイコンを選択する。
【００６１】
図１０は、窓センサの増設設定画面を示す図である。上記「接続機器の設定」アイコンを選択することにより表示される窓センサ設定欄５１を選択すると増設欄５２が表示され、その増設欄５２を選択すると図１０に示される増設設定欄５３の画面が表示される。増設設定欄５３には、窓センサ５の登録可能な数のエリア欄５３ａ〜５３ｃが設けられており、それぞれに任意のエリア名を設定できる。なお、既に増設可能な数の窓センサが登録済みの場合には、上記増設欄５２を選択することができないようになる。
【００６２】
登録設定する場合には、例えば、窓センサ５に設けられているモード切替スイッチを設定モードにし、登録ボタンを所定時間（数秒）以上押し、規定の鳴動により登録完了を確認することができる。また、モニタ付子機２を登録する窓センサ５が取り付けられている場所に持って行き、上記窓センサ５側の操作により、第２の領域３４のシステムエリア３４ｂに窓センサ５に対応するアイコンが表示されることにより、その登録完了を確認することができる。このように、登録・設定する機器の側でモニタ付子機２を操作しかつ確認することができ、登録・設定を容易かつ確実に行うことができる。
【００６３】
なお、図３の画面のドアホンアイコン３２ｂを選択することにより表示される複数のアイコンの中に「センサ情報」アイコンが含まれており（図示省略）、その「センサ情報」アイコンを選択することにより、窓ＷＤの状態が表示されるようになっている。窓ＷＤの状態（窓センサ５の状態）表示の項目としては、「閉」・「開」・「圏外」・「電池切れ」がある。
【００６４】
このようにして、モニタ付子機２を中心として、無線接続される種々の機器（図示例では、充電台付親機１・ドアホン親機４）のネットワーク化が可能となり、それらを一元管理することができ、登録・接続設定のみならず、接続状態の管理も容易に行うことができる。さらに、無線接続される外部機器（ドアホン親機４）に接続される外部子機（図示例では、ドアホン４ａ・窓センサ５）の登録・接続設定に対してもモニタ付子機２のモニタ画面２ａ上で、外部機器（ドアホン親機４）の画面４ｂでの操作と同じように操作することができ、外部子機（ドアホン４ａ・窓センサ５）の数を増やす場合に外部機器（ドアホン親機４）で登録・接続設定をするといった手間を省くことができる。また、それらの接続状態の確認もモニタ付子機２の１台で行うことができ、接続状態の確認を容易に行うことができる。
【００６５】
特に、外部機器が図示例のようにドアホン親機４の場合には、通常ドアホン親機４は任意の場所に固定されるため、例えば窓センサ５を増設する場合にドアホン親機４を増設対象の窓センサ５の側まで持って行くことはできない。そのような環境で登録・接続の設定を行う場合には、動作確認のためにドアホン親機４ち窓センサ５との間を何度も往復する等、作業が煩雑化する虞がある。それに対して、本発明によるモニタ付子機２によれば、増設対象の窓センサ５の側まで持って行くことができ、かつモニタ付子機２によりドアホン親機４の画面４ｂでの操作と同じ操作を行って機器の登録・接続設定を行うことができるため、作業を簡単に済ますことができる。
【００６６】
また、設定アイコン３３ｅを選択して表示される「無線とネットワーク」アイコンを選択することにより、ルータ６に接続されている回線終端装置７と無線で接続可能である。この場合には、無線ＬＡＮに対応の回線終端装置７を用いる。この場合の接続設定は、無線ＬＡＮで接続可能な機器における公知の設定要領であってよく、その詳しい説明を省略する。
【００６７】
このようにして、回線終端装置７と無線ＬＡＮに接続されることにより、回線終端装置７を介してインターネット接続することができる。例えば図３の画面でアプリアイコン３３ｄを選択することにより表示される画面でブラウザソフトのアイコンを選択することにより、第１の領域３１にブラウザソフトの画面が表示され、パーソナルコンピュータと同様のインターネット接続環境が得られる。
【００６８】
また、このようにモニタ付子機２がインターネット接続されることにより、外出先で携帯電話８からインターネット接続を介してモニタ付子機２にアクセス可能となる。それにより、モニタ付子機２に通知される情報を携帯電話８で確認することができる。例えば、上記窓センサ５による状態表示の各項目を携帯電話８の画面に表示させることができる。
【００６９】
これらドアホン４ａや無線ＬＡＮ（回線終端装置７）の外部機器との接続状態等は、上記したシステムエリア３４ｂに表示される。
【００７０】
図１１（ａ）はシステムエリア３４ｂに表示される通常状態の一例を示す要部拡大図であり、図１１（ｂ）は通信強度が弱い場合の例を示す図である。図１１（ａ）には、左側から、充電台付親機１からの電波の強さを示すアイコン６１と、ドアホン親機４からの電波の強さを示すアイコン６２と、無線ＬＡＮ（回線終端装置７）からの電波の強さを示すアイコン６３と、電池残量を示すアイコン６４とが示されている。各アイコン６１〜６３では、長さ違いの３本の縦バーの表示個数で電波強度の違いを表している。また、アイコン６４では、横並びの３個のセルの表示個数で電池強度の違いを表している。なお、これらは一例であり、システムエリア３４ｂに表示されるアイコンを限定するものでない。
【００７１】
図１１（ａ）に示されるように、各電波が強い場合には、各アイコン６１〜６３の３本の縦バーの全てが表示される。これにより、充電台付親機１・ドアホン親機４・回線終端装置７からの各電波強度が十分な位置にモニタ付子機２があることが確認できる。また、アイコン６４でも、複数のセルの全てが表示されており、電池残量が十分であることが確認できる。
【００７２】
図１１（ｂ）では、アイコン６１では一番長い縦バーが消えている状態であり、アイコン６２では一番短い縦バーだけが表示された状態であり、アイコン６３では円弧状バーの全てが消えている状態である。アイコン６１のように一番長い縦バーだけが消えている状態は、通常の通信を行うのに十分な電波強度であり、そのまま使用することに何等支障を来さない。一方、アイコン６２のように一番短い縦バーのみや、アイコン６３のように全ての円弧状バーが消えている場合には電波強度が弱く、確実な通信を行うことができない虞があることを示している。なお、圏外となった場合には、図７（ａ）で説明した赤いバツ印３６を各バーの代わりに付けたアイコンを表示するとよい。
【００７３】
このように充電台付親機１や外部機器との接続状態をアイコンで表示しており、どのような接続状態であるかを容易に視認することができる。
【００７４】
図３の画面で留守アイコン３３ｆが選択された場合のフローｐ（フロー図省略）では、モニタ付子機２で操作することができる親機１や外部機器の接続状態を確認するための処理が行われる。
【００７５】
図１２は、充電台付親機１や外部機器との接続状態を文字で表示する例を示す図である。留守アイコン３３ｆが選択された場合には、図に示されるように、モニタ画面２ａの下部に、例えば「ドアホンと接続中です。」や「窓センサ１・２と接続中です。」のような文字のテロップを所定時間流す。さらに、同内容の音声をスピーカ２３から所定時間流すとよい。なお、文字をテロップで流すのに代えて、所定時間表示させるようにしてもよい。また、常時表示させるようにしてもよい。これにより、アイコンでの表記に対して不慣れな人も何等問題無く接続状態を確認することができる。
【００７６】
本モニタ付子機２では、そのモニタ下面２ａでＦＡＸの内容を確認することができるが、そのＦＡＸのデータを、回線終端装置７を介して無線ＬＡＮ接続されているプリンタ９に送信することができ、プリンタ９でＦＡＸ画像を印刷することができる。
【００７７】
図３の画面のファクスアイコン３３ｂを選択することにより表示される「受信ファクス」アイコンを選択し、それにより表示されるＦＡＸ一覧画面の中から印刷したいものを選択する。そして、上記したようにメニューキーＳＷ３を押すことにより、第１の領域３１の下部に表示されるコマンドバーにある「その他」を選択することにより、「ページ印刷」アイコンが表示される。その「ページ印刷」アイコンを選択すると、上記と同様に無線ＬＡＮ接続されているプリンタ９に印刷データが送信され、その印刷が実行される。
【００７８】
また、モニタ付子機２によりアクセス可能な外部機器として監視カメラ１０が対象となり得る。上記したように監視カメラ１０はルータ６を介してドアホン親機４と接続されており、通常の使用では、ドアホン親機４の画面４ｂで監視カメラ１０で撮影された映像を視認することができる。このように監視カメラ１０もドアホン親機４の子機として機能することから、同じく子機としてドアホン４ａと同様に、モニタ付子機２からドアホン親機４を介して監視カメラ１０を操作可能である。
【００７９】
監視カメラ１０に対する登録・設定の要領については、ドアホン４ａと同様であり、その詳しい説明は省略する。なお、監視カメラ１０を複数台設置した場合にも、上記下窓センサ５と同様に対応可能である。
【００８０】
以上、本発明を、その好適実施形態の実施例について説明したが、当業者であれば容易に理解できるように、本発明はこのような実施例により限定されるものではなく、本発明の趣旨を逸脱しない範囲で適宜変更可能である。また、上記実施形態に示した構成要素は必ずしも全てが必須なものではなく、本発明の趣旨を逸脱しない限りにおいて適宜取捨選択することが可能である。
【産業上の利用可能性】
【００８１】
本発明にかかる無線接続制御装置は、親機と無線接続されかつＦＡＸ送受信の画像を確認し得るモニタ付子機により、無線接続される他の外部機器の登録・接続設定をアイコンの変化で確認しながら容易に行うことができ、無線接続される親子関係の機器の一元管理を行う技術分野として有用である。
【符号の説明】
【００８２】
１  充電台付親機
２  モニタ付子機
２ａ  モニタ画面
２ｂ  制御ユニット
４  ドアホン親機
４ａ  ドアホン
５  窓センサ
１１  無線接続部
１２  ＦＡＸ制御部
１４  主制御部
１５  登録接続設定部
３１  第１の領域
３３ａ〜３３ｆ  アイコン
３４  第２の領域
３４ａ  通知エリア
３４ｂ  システムエリア
３５ａ  親機アイコン
【図１】
2014119942.tif 000003
【図２】
2014119942.tif 000004
【図３】
2014119942.tif 000005
【図４】
2014119942.tif 000006
【図５】
2014119942.tif 000007
【図６】
2014119942.tif 000008
【図７】
2014119942.tif 000009
【図８】
2014119942.tif 000010
【図９】
2014119942.tif 000011
【図１０】
2014119942.tif 000012
【図１１】
2014119942.tif 000013
【図１２】
2014119942.tif 000014
【手続補正書】
【提出日】平成25年5月17日(2013.5.17)
【手続補正２】
【補正対象書類名】特許請求の範囲
【補正対象項目名】全文
【補正方法】変更
【補正の内容】
【特許請求の範囲】
【請求項１】
電話回線に接続される親機と、前記親機と無線接続されかつ前記親機を介してＦＡＸの送受信を行う子機とを有し、
前記子機は、持ち運び可能に形成されるとともに、前記無線接続による接続を行う無線接続部と、前記ＦＡＸの画像を表示するためのモニタと、前記無線接続部を介して無線接続される前記親機及び外部機器並びに前記外部機器に無線接続される外部子機をそれぞれ前記モニタの画面上の操作で登録しかつ接続の設定を可能にする登録接続設定部とを有し、
前記モニタの画面は、少なくとも前記ＦＡＸの画像を表示する第１の領域と、前記親機及び登録可能な前記外部機器を示すアイコンを表示するべく前記第１の領域と重ならない第２の領域とを有することを特徴とする無線接続制御装置。
【請求項２】
前記親機及び登録可能な前記外部機器を示すアイコンは、登録後には、登録前の状態とは異なる形態で接続状態を示すアイコンに変わることを特徴とする請求項１に記載の無線接続制御装置。
【請求項３】
前記親機及び登録可能な前記外部機器を示すアイコンを前記第２の領域にドラッグすることにより、前記第２の領域に、前記親機及び前記接続の設定がされた前記外部機器の状態が表示されることを特徴とする請求項１または請求項２に記載の無線接続制御装置。
【請求項４】
親機と無線接続されかつ前記親機を介してＦＡＸの送受信を行う可搬型無線接続子機であって、
前記無線接続による接続を行う無線接続部と、前記ＦＡＸの画像を表示するためのモニタと、前記無線接続部を介して無線接続される前記親機及び外部機器並びに前記外部機器に無線接続される外部子機をそれぞれ前記モニタの画面上の操作で登録しかつ接続の設定を可能にする登録接続設定部とを有し、
前記モニタの画面は、少なくとも前記ＦＡＸの画像を表示する第１の領域と、前記親機及び登録可能な前記外部機器を示すアイコンを表示するべく前記第１の領域と重ならない第２の領域とを有することを特徴とする可搬型無線接続子機。
【手続補正３】
【補正対象書類名】明細書
【補正対象項目名】０００９
【補正方法】変更
【補正の内容】
【０００９】
本発明の無線接続制御装置は、電話回線に接続される親機と、前記親機と無線接続されかつ前記親機を介してＦＡＸの送受信を行う子機とを有し、前記子機は、持ち運び可能に形成されるとともに、前記無線接続による接続を行う無線接続部と、前記ＦＡＸの画像を表示するためのモニタと、前記無線接続部を介して無線接続される前記親機及び外部機器並びに前記外部機器に無線接続される外部子機をそれぞれ前記モニタの画面上の操作で登録しかつ接続の設定を可能にする登録接続設定部とを有し、前記モニタの画面は、少なくとも前記ＦＡＸの画像を表示する第１の領域と、前記親機及び登録可能な前記外部機器を示すアイコンを表示するべく前記第１の領域と重ならない第２の領域とを有する構成とする。
【手続補正４】
【補正対象書類名】明細書
【補正対象項目名】００１２
【補正方法】変更
【補正の内容】
【００１２】
前記課題を解決するためになされた第１の発明は、電話回線に接続される親機と、前記親機と無線接続されかつ前記親機を介してＦＡＸの送受信を行う子機とを有し、前記子機は、持ち運び可能に形成されるとともに、前記無線接続による接続を行う無線接続部と、前記ＦＡＸの画像を表示するためのモニタと、前記無線接続部を介して無線接続される前記親機及び外部機器並びに前記外部機器に無線接続される外部子機をそれぞれ前記モニタの画面上の操作で登録しかつ接続の設定を可能にする登録接続設定部とを有し、前記モニタの画面は、少なくとも前記ＦＡＸの画像を表示する第１の領域と、前記親機及び登録可能な前記外部機器を示すアイコンを表示するべく前記第１の領域と重ならない第２の領域とを有する構成とする。